(57)【要約】【課題】  意外の短絡が防止でき、組立作業が容易で、且つ定位が良い、光ファイバー用信号受発ヘッドを提供すること。【解決手段】  一つの信号受発ヘッドと、一つの金属端面とから構成され、前記信号受発ヘッドは、光伝導端子と、所定数量の独立端子および嵌合溝とを有し、且つ前記嵌合溝には片状の金属端面が嵌合してあり、前記金属端面には金属端子が凸設してある光ファイバー用信号受発ヘッドにおいて、前記信号受発ヘッドは、前記嵌合溝に対応する箇所ではコ字形の凹部が設けてあり、且つ光伝導端子に対応する箇所では窪み部が設けてあり、保護カバーは、非導電性の樹脂素材で作製されたものであり、その周辺には湾折アームが別々に、前記コ字形の凹部の両側と、信号受発ヘッドの窪み部とに嵌め込まれ、且つ各湾折アームが係止孔により各係合突起に係合されることを特徴とする、光ファイバー用信号受発ヘッドである。  【選択図】  図３
0003105745.tif 000002
【実用新案登録請求の範囲】
【請求項１】
一つの信号受発ヘッドと、一つの金属端面とから構成され、前記信号受発ヘッドは、光伝導端子と、所定数量の独立端子および嵌合溝とを有し、且つ前記嵌合溝には片状の金属端面が嵌合してあり、前記金属端面には金属端子が凸設してある光ファイバー用信号受発ヘッドにおいて、
前記信号受発ヘッドは、前記嵌合溝に対応する箇所ではコ字形の凹部が設けてあり、且つ光伝導端子に対応する箇所では窪み部が設けてあり、コ字形の凹部の両側と前記窪み部とには係合突起がそれぞれ設けてあり、
保護カバーは、非導電性の樹脂素材で作製されたものであり、その周辺には、湾折アームが別々に、前記コ字形の凹部の両側と、信号受発ヘッドの窪み部とに嵌め込まれ、且つ各湾折アームが係止孔により各係合突起に係合され、保護カバーは、信号受発ヘッドの金属端面を完全にカバーし、前記信号受発ヘッドの光伝導端子と、金属端子とに対応する箇所では嵌め孔がそれぞれ設けてあり、前記各嵌め孔が光伝導端子と金属端子との周縁に安定に嵌め当接することを特徴とする、
光ファイバー用信号受発ヘッド。
【請求項２】
前記保護カバーの内壁面には、前記信号受発ヘッドの金属端面に対応するための嵌合溝が設けてあり、且つ前記保護カバーがコ字形の凹部と緊密に合うようにカバーすることを特徴とする、請求項１に記載の光ファイバー用信号受発ヘッド。
【請求項３】
前記保護カバーの周縁には嵌合斜面が設けてあるので、前記嵌合斜面により前記保護カバーが信号受発ヘッド本体へ順調に嵌合することができることを特徴とする、請求項１に記載の光ファイバー用信号受発ヘッド。
【考案の詳細な説明】
【技術分野】
【０００１】
本考案は、光ファイバー用信号受発ヘッドに関するものである。
【背景技術】
【０００２】
図１と図２に示すのは、従来の光ファイバー用信号受発ヘッド１０である。前記光ファイバー用信号受発ヘッド１０は、一つの金属端面１１により光ファイバー用信号受発ヘッド１０の収容溝１２に係合され、金属端面１１で内部の光ファイバーと接触し、且つ信号が金属端子１３により外へ伝導し、なお、金属で作製された端面１１は、湾折された片状バネで発生する弾力によって光ファイバーを付勢し定位し、また、前記光ファイバー用信号受発ヘッド１０は、内部にある伝送部品に対応するための収容溝１５が設けてあり、Ｕ字形に湾折され金属製の独立端子１６が前記収容溝１５内に圧入され、前記収容溝１５が独立端子１６の伸び方向に開けられ、且つ前記独立端子１６がＵ字形部で発生する弾力によって付勢し定位される。
【考案の開示】
【考案が解決しようとする課題】
【０００３】
しかしながら、これは次のような欠点があった。
（１）金属端面１１が光ファイバー用信号受発ヘッド１０にある収容溝１２の外部に係止し当接するので、前記金属端面１１が外部に露出し、溶接するときに、前記金属端面１１が回路板の表面と容易に接触するので、回路板と金属端面１１とが意外に短絡し易い。
（２）端面１１の金属端子１３と、光ファイバー用信号受発ヘッド１０本体の光伝導用端子１４とは極めて弱いので、取付作業時に断裂し易い。
（３）独立端子１６が加熱して他の電子部品に溶接するときに、独立端子１６のＵ字形部１６１の弾力が高熱の影響により変化し易く、さらにＵ字形部１６１は弾力不足になることにより、独立端子１６が収容溝１５内から離脱し又は接触不良になる。
【０００４】
本考案の主な目的は、意外な短絡を防止できる光ファイバー用信号受発ヘッドを提供する。
本考案の次な目的は、組立作業が容易になる光ファイバー用信号受発ヘッドを提供する。
本考案の他の目的は、定位が良くなる光ファイバー用信号受発ヘッドを提供する。
【課題を解決するための手段】
【０００５】
上記欠点を解決するためになされた本願の考案は、一つの信号受発ヘッドと、一つの金属端面とから構成され、前記信号受発ヘッドは、光伝導端子と、所定数量の独立端子および嵌合溝とを有し、且つ前記嵌合溝には片状の金属端面が嵌合してあり、前記金属端面には金属端子が凸設してある光ファイバー用信号受発ヘッドにおいて、前記信号受発ヘッドは、前記嵌合溝に対応する箇所ではコ字形の凹部が設けてあり、且つ光伝導端子に対応する箇所では窪み部が設けてあり、コ字形の凹部の両側と前記窪み部とには係合突起がそれぞれ設けてあり、保護カバーは、非導電性の樹脂素材で作製されたものであり、その周辺には、湾折アームが別々に、前記コ字形の凹部の両側と、信号受発ヘッドの窪み部とに嵌め込まれ、且つ各湾折アームが係止孔により各係合突起に係合され、保護カバーは、信号受発ヘッドの金属端面を完全にカバーし、前記信号受発ヘッドの光伝導端子と、金属端子とに対応する箇所では嵌め孔がそれぞれ設けてあり、前記各嵌め孔が光伝導端子と金属端子との周縁に安定に嵌め当接することを特徴とする光ファイバー用信号受発ヘッドであることを要旨としている。
【０００６】
本願の考案では、前記保護カバーの内壁面には、前記信号受発ヘッドの金属端面に対応するための嵌合溝が設けてあり、且つ前記保護カバーがコ字形の凹部と緊密に合うようにカバーすることを特徴とする請求項１に記載の光ファイバー用信号受発ヘッドであることを要旨としている。
【０００７】
本願の考案では、前記保護カバーの周縁には嵌合斜面が設けてあるので、前記嵌合斜面により前記保護カバーが信号受発ヘッド本体へ順調に嵌合することができることを特徴とする請求項１に記載の光ファイバー用信号受発ヘッドであることを要旨としている。
【考案の効果】
【０００８】
本考案に係る光ファイバー用信号受発ヘッドによれば、意外の短絡が防止でき、組立作業が容易になり、且つ定位が良くなる。
【考案を実施するための最良の形態】
【０００９】
以下、添付図面を参照して本考案の好適な実施の形態を詳細に説明する。
【００１０】
まず、図３、図４、図６と図７を参照する。図３は本考案に係る実施例の分解斜視図であり、図４は本考案に係る実施例の保護カバーの斜視図であり、図６は本考案に係る実施例の独立端子の斜視図であり、図７は本考案に係る実施例の独立端子の取付前の斜視図である。
本考案に係る光ファイバー用信号受発ヘッドは、一つの信号受発ヘッド２０と、一つの保護カバー３０と、所定数量の独立端子４０とから構成される。
【００１１】
前記信号受発ヘッド２０は、一体に作製されたものであり、その上にコ字形の凹部２１が設けてあり、その一端に三本の光伝導用端子２４が凸設してある。前記凹部２１は内の光ファイバー部品に対応し、且つ前記凹部２１の上側にある開口の周縁に嵌合溝２２が設けてあり、一つの金属端面２６が前記嵌合溝２２内に嵌めされる。前記金属端面２６には一つの金属端子２６１が一体に作製してあり、前記金属端子２６１が湾折され前記金属端面２６の表面から突起する。また、前記信号受発ヘッド２０の光伝導用端子２４に対応する側面には窪み部２５が設けてあり、且つ前記凹部２１の二側面窪み２７と、前記窪み部２５とには一つの係合突起２３がそれぞれ設けてある。前記信号受発ヘッド２０の上には凹部２８が設けてあり、前記凹部２８が信号受発ヘッド２０内の連接部品に対応し、且つ前記凹部２８の開け方向が信号受発ヘッド２０の取付方向の反対側に位置している。前記凹部２８は、信号受発ヘッド２０の他側面と連通し、予定数量の取付孔２０１が設けてある。また、前記凹部２８の内壁には一つの矩形な係り孔２９が開けてあり、前記係り孔２９が凹部２８の定位高さに対応する。
【００１２】
前記保護カバー３０は、前記信号受発ヘッド２０の凹部２１に対応し、非導電性の樹脂素材で作製されたものであり、その周辺には、三つの湾折アーム３１ａ,３１ｂ,３１ｃが設けてあり、且つ湾折アーム３１ａ,３１ｂが別々に前記コ字形の凹部２１の二側面窪み２７と対応し、湾折アーム３１ｃが信号受発ヘッド２０の窪み部２５と対応しており、且つ保護カバー３０を凹部２１にカバーするときに、各湾折アーム３１ａ,３１ｂ,３１ｃがそれぞれ一つの係止孔３２により各係合突起２３に係合され、保護カバー３０は、信号受発ヘッド２０の金属端面２６を完全にカバーする。また、保護カバー３０は、その上に信号受発ヘッド２０の金属端面２６の外形に合う嵌合溝３３が開けてあり、且つ三本の光伝導端子２４と、金属端子２６１とに対応する箇所では嵌め孔３４がそれぞれ設けてあり、前記各嵌め孔３４が光伝導端子２４と金属端子２６１との周縁に安定に嵌め当接する。
【００１３】
前記独立端子４０は、金属素材を湾折して作製されたものであり、一つのＵ型湾折部４１により予定の弾力が発生し、その一端が接触端４２であり、他端に一つの止め突起４３が設けてあり、且つ前記Ｕ型湾折部４１に近接する箇所では一脱止片４４が湾折され突起する。前記独立端子４０は、Ｕ型湾折部４１と止め突起４３とによって前記信号受発ヘッド２０の凹部２８内に係止されることにより、信号受発ヘッド２０の連接部品と接触し、且つ接触端４２が前記信号受発ヘッド２０の取付孔２０１を挿通し突出し、なお、前記脱止片４４が凹部２８の内壁にある係り孔２９内に係止される。
【００１４】
次に、本考案の作動形態および機能について説明する。
【００１５】
まず、図５を参照する。本考案に係る保護カバー３０は、非導電性の樹脂素材で作製されたものであり、その周辺には、三本の湾折アーム３１ａ,３１ｂ,３１ｃが別々に前記信号受発ヘッド２０の三つの係合突起２３に係止され、且つ保護カバー３０は信号受発ヘッドの金属端面２６を完全にカバーするので、前記保護カバー３０は、金属端面２６の金属部分が回路板と接触しないことを確保でき、短絡の確率が大幅に低減する。この結果、本考案は意外の短絡を防止することができる。
また、保護カバー３０は、その上に信号受発ヘッド２０の金属端面２６の外形に合う嵌合溝３３が開けてあり、且つ三本の光伝導端子２４と、金属端子２６１とに対応する箇所では嵌め孔３４がそれぞれ設けてあり、前記各嵌め孔３４が光伝導端子２４と金属端子２６１との周縁に安定に嵌め当接するので、金属端子２６１と光伝導端子２４とが断裂し難くなり、取付作業の失敗率が低減できる。この結果、本考案は取付作業の失敗率を有効に低減することができる。
【００１６】
また、図４を参照する。保護カバー３０がコ字形の凹部２１と緊密に合うようにカバーするので、本考案に係る実施例では、保護カバー３０の周縁に、又は嵌め孔３４の内側の周縁に、嵌合斜面Ａが設けてあり、前記嵌合斜面Ａの斜面により信号受発ヘッド２０本体に保護カバー３０が順調に嵌合することができ、取付作業が容易になると共に、製品の緊密度も良くなる。
【００１７】
次に、図８を参照する。作業者が独立端子４０を取付けるときには、まず、独立端子４０を信号受発ヘッド２０にある凹部２８に挿入して、接触端４２を信号受発ヘッド２０にある取付孔２０１から突出し、なお、独立端子４０は、Ｕ型湾折部４１と止め突起４３とによって前記信号受発ヘッド２０の凹部２８内に係止され、且つ前記脱止片４４が凹部２８の内壁にある係り孔２９内に係止されるので、前記脱止片４４と係り孔２９との係合により、前記独立端子４０が精確に定位され、独立端子４０の位置が溶接の高熱に影響されず、作業者が重複に取付作業をすることも必要なくなる。
【図面の簡単な説明】
【００１８】
【図１】従来のものの斜視図である。
【図２】従来のものを他の角度から見る分解斜視図である。
【図３】本考案に係る実施例の分解斜視図である。
【図４】本考案に係る実施例の保護カバーの斜視図である。
【図５】本考案に係る実施例の組立状態を示す斜視図である。
【図６】本考案に係る実施例の独立端子の斜視図である。
【図７】本考案に係る実施例の独立端子の取付前の斜視図である。
【図８】本考案に係る実施例の独立端子の取付後の断面図である。
【符号の説明】
【００１９】
１０      光ファイバー用信号受発ヘッド
１１      端面
１２      収容溝
１３      端子
１４      光伝導用端子
１５      収容溝
１６      独立端子
１６１    Ｕ字形部
２０      信号受発ヘッド
２０１    取付孔
２１      凹部
２２      嵌合溝
２３      係合突起
２４      光伝導用端子
２５      窪み部
２６      金属端面
２６１    金属端子
２７      側面窪み
２８      凹部
２９      係り孔
３０      保護カバー
３１ａ    湾折アーム
３１ｂ    湾折アーム
３１ｃ    湾折アーム
３２      係止孔
３３      嵌合溝
３４      嵌め孔
Ａ        嵌合斜面
４０      独立端子
４１      Ｕ型湾折部
４２      接触端
４３      止め突起
４４      脱止片
【図１】
0003105745.tif 000003
【図２】
0003105745.tif 000004
【図３】
0003105745.tif 000005
【図４】
0003105745.tif 000006
【図５】
0003105745.tif 000007
【図６】
0003105745.tif 000008
【図７】
0003105745.tif 000009
【図８】
0003105745.tif 000010